(57)【要約】【課題】院内感染防止用に常時手の消毒可能とする一方で医療施設等での作業に障害とならない消毒剤容器を収納運搬する携帯型医療装具の開発。【解決手段】本衛生用剤用携帯型医療装具は、扁平なほぼ直方形有底箱状袋で衛生用剤容器収納ポーチ本体と該ポーチ本体の上部開口部の身体側のほぼ両端側部に二つのフック掛具を有し、該フック掛具でストラップ具に取付可能とされ、該ストラップ具はその端部にフック状連結具を備え、該フック状連結具のフックと該ポーチ本体上のフック掛具により、該ポーチ本体と該ストラップ具とは連結され、該ストラップ具により一方の肩から他方の腰に装着し該ポーチ本体を身体の腰の部分に位置せしめ、さらに該ストラップ具がトリグライドバックルを備えてストラップ具の長さの調節が可能で、ストラップ具に取付けられたクリップ部材が医療装具を固定可能とする。【選択図】図１
2010063811.tif 000002
【特許請求の範囲】
【請求項１】
扁平なほぼ直方形の有底箱状の袋であり、且つ、衛生用剤を入れた容器を収納することのできるポーチ本体と該ポーチ本体の上部開口部の身体側のほぼ両端側部に二つのフック掛具を有し、該フック掛具を介してストラップ具に取り付け可能とされており、該ストラップ具は、その端部にフック状連結具を備えており、該フック状連結具のフックと該ポーチ本体上のフック掛具により、該ポーチ本体と該ストラップ具とは連結されるものであり、該ストラップ具を用いて一方の肩から他方の腰に装備することにより、該ポーチ本体を身体の腰の部分に位置せしめることができるもので、さらに、該ストラップ具はトリグライドバックルを備えていて、ストラップ具の長さの調節が可能としてあって、かつ、ストラップ挿通口に取り付けられたクリップ部材が該ストラップ挿通口を介して保持されていることを特徴とする衛生用剤用携帯型医療装具。
【発明の詳細な説明】
【技術分野】
【０００１】
本発明は、医療関連感染の防止などに使用する衛生用剤を常時携行可能とするのに適した形状の衛生用剤用携帯型医療装具に関する。特には、本発明は、医療関連感染染防止などに、常時使用する消毒剤等を収納したまま、各種病院内での作業をするのに適した形態及び機能を持っている肩掛け型ポーチに関する。
【背景技術】
【０００２】
意匠登録第1287541号公報〔特許文献１〕には、医療用ウエストバッグが開示されてお
り、医療施設等において、収納用袋部の内部に消毒剤等を収納したまま、ベルトを使用して腰に装着して、それにより携行したまま、各種の作業を行うことが可能となっている物品が記載されている。
病院を含めた医療施設などにおいては、看護師などの従事者は、深刻な医療関連感染の問題を避けるために、各種の作業を行うと同時に、絶えず菌感染などを防ぐために、常時、消毒剤あるいは殺菌剤を携行して、接触した手を、適宜、消毒する必要がある。
【０００３】
【特許文献１】意匠登録第1287541号公報
【発明の開示】
【発明が解決しようとする課題】
【０００４】
消毒剤を常時携行して医療関連感染防止のために、接触した手を消毒できるようにする一方で、患者のケアなどの医療施設等における作業に障害とならないようにする液状物を収容する容器を収納して運搬するための携帯型医療装具の開発が求められている。
【課題を解決するための手段】
【０００５】
本発明者は、上記課題を解決すべく鋭意研究の結果、肩からタスキ掛けで吊るして、ほぼ身体の腰の位置に、ワンプッシュポンプの取り付けられた消毒剤ボトル容器（プッシュポンプ式ディスペンサー）を収納したポーチを配置でき、且つ、装着した作業者の様々な作業姿勢にかかわらず、該容器を収納したポーチ本体を常にほぼ垂直な状態として保持でき、一方で、容器から消毒剤を手に取り出すことが簡易に行えるようになっている衛生用剤用携帯型医療装具の作製に成功し、本発明を完成した。
【０００６】
本発明の衛生用剤用携帯型医療装具は、扁平なほぼ直方形の有底箱状の袋であり、且つ、衛生用剤を入れた容器を収納することのできるポーチ本体と該ポーチ本体の上部開口部の身体側のほぼ両端側部に二つのフック掛具を有し、該フック掛具を介してストラップ具に取り付け可能とされており、該ストラップ具は、その端部にフック状連結具を備えており、該フック状連結具のフックと該ポーチ本体上のフック掛具により、該ポーチ本体と該ストラップ具とは連結されるものであり、該ストラップ具を用いて一方の肩から他方の腰に装備することにより、該ポーチ本体を身体の腰の部分に位置せしめることができるもので、さらに、該ストラップ具はトリグライドバックルを備えていて、ストラップ具の長さの調節が可能としてあって、かつ、ストラップ挿通口に取り付けられたクリップ部材が該ストラップ挿通口を介して保持されていることを特徴とするものである。
【０００７】
本発明の衛生用剤用携帯型医療装具は、そのポーチ本体の胴体部のサイズが、開口部を含めて、殺菌・消毒剤容器、例えば、消毒剤ボトル容器の胴体部を収納し、且つ、該容器があまり遊びなくフィットするサイズとされており、さらに、該ポーチ本体の容器収納部の深さは、当該容器の少なくとも肩部までの深さとなって、ポンプのヘッド（頂部）を押してその吐出口より容易に且つ邪魔されることなく消毒剤を手に取ることを可能にするも
のであることを特徴としている。
本発明の衛生用剤用携帯型医療装具は、そのポーチ本体の上部開口部の身体側の二つのフック掛具の間のほぼ中間の位置に、カラビナ挿通口が設けられて、カラビナによりズボンなどのベルト通しに吊り下げて身体に装備することが可能な構造を有し、且つ、該ポーチ本体の胴体部の身体側にはベルト挿通口部材が取り付けられており、ズボンのベルトにより密着した状態で身体に装着することができるようになっていることを特徴としている。
【０００８】
本発明の衛生用剤用携帯型医療装具は、ストラップ挿通口を介してストラップ具に取り付けられているクリップ部材により、該衛生用剤用携帯型医療装具の移動が規制可能となっており、これにより、医療施設等における従事者の作業の際、装着している衛生用剤容器を収容している携帯型医療装具が邪魔になることを防止可能となっていることを特徴としている。本発明の衛生用剤用携帯型医療装具は、該クリップ部材により、それを衣服に留めるなどして、衛生用剤容器を収容しているポーチ本体の位置を決めておくことができるので、消毒剤の取出しが容易に支障なく行うことを可能にしている一方で、患者の介護や移動といった作業時にも、不具合なくそうした作業を行うことを可能にするという特徴を有する。
本発明の衛生用剤用携帯型医療装具は、肩から吊り下げている状態で、消毒剤容器を直立状態で携行することができ、プッシュポンプのヘッドを押してその吐出口より消毒剤を手に取ることを任意に且つ支障なく行うことが可能である。
【発明の効果】
【０００９】
本発明の衛生用剤用携帯型医療装具は、肩にかけて簡単に身体に吊るして消毒・殺菌剤を携行可能とするもので、ワンプッシュポンプのヘッドを押してゲル状液状物を簡単に取り出しやすいように身体に装着することが可能であり、さらに、作業者の通常の作業に邪魔にならないように衛生用剤容器を収納しているポーチ本体の位置を規制可能とされており、便利である。本衛生用剤用携帯型医療装具は、極めて簡単な構造で且つ安価な素材で構成することができ、一方で、医療施設従事者の機能的な動作を可能とし、医療関連感染防止などのため、殺菌・消毒剤といった衛生用剤の常時携行を可能としているので、優れている。
本衛生用剤用携帯型医療装具は、身体に装着した場合、肩からタスキ掛けで身体に吊るすことができ、衛生用剤容器を収納しているポーチ本体の位置を自由に所定の位置に調節でき、且つ、一定の範囲で固定できるので、消毒剤などを取り出すときはその作業が容易に行える一方、介護受容者などの世話をするといった作業時には、その作業の邪魔にならないようにすることが容易である。
【００１０】
本発明のその他の目的、特徴、優秀性及びその有する観点は、以下の記載より当業者にとっては明白であろう。しかしながら、以下の記載及び具体的な実施例等の記載を含めた本件明細書の記載は本発明の好ましい態様を示すものであり、説明のためにのみ示されているものであることを理解されたい。本明細書に開示した本発明の意図及び範囲内で、種々の変化及び／又は改変（あるいは修飾）をなすことは、以下の記載及び本明細書のその他の部分からの知識により、当業者には容易に明らかであろう。本明細書で引用されている全ての特許文献及び参考文献は、説明の目的で引用されているもので、それらは本明細書の一部としてその内容はここに含めて解釈されるべきものである。
【発明を実施するための最良の形態】
【００１１】
本発明の衛生用剤用携帯型医療装具は、衛生用剤を入れた容器、例えば、殺菌・消毒剤ボトル容器を収納するためのポーチ本体と、一方の肩から他方の腰に吊り下げるためのストラップ具、該ストラップにストラップ挿通口に付けられたクリップ具を備えており、該ポーチ本体の上部身体側に設けられた二つのフック掛具と該フック掛具に取り付けられた
ストラップ具のフック状連結具を有し、ストラップ具にはトリグライドバックルが装備されて、ストラップ具の長さを調節可能とされ、さらに、クリップ具は、本衛生用剤用携帯型医療装具、例えば、肩掛け型ポーチの位置を規制可能になっている。
当該ポーチ本体は、消毒剤を手掌に受けるのを妨害しない程度の深度を与える袋状形状のもので、ワンプッシュポンプのヘッドを下方に押すことで衛生用剤容器、例えば、消毒剤ボトル容器（ポンプ式ディスペンサー）の吐出口から衛生用剤、例えば、消毒剤を掌に支障なく取り出すことを可能にする一方で、ポーチ本体の収納部内に衛生用剤容器、例えば、消毒剤ボトル容器を、各種の作業中であっても、確実に保持することを可能にするものである。
【００１２】
消毒剤としては、市販の殺菌・消毒剤として販売されているもの、例えば、ゲル状速乾性擦式手指殺菌・消毒剤（ゴージョージャパン株式会社）などを挙げることができる。当該消毒剤は、通常、200〜550mLが入ったポンプの取り付けられたボトル容器に入れられて流通しているが、代表的なものは、例えば、図１５に示すような形状のやや縦長の略扁平楕円状の胴体部の上方開口部にポンプ４１が取り付けられ、ディスペンサーポンプの上部（ヘッド４２）を押し下げることにより吐出口４３からゲルを手掌に取ることのできるもので、該ポンプは、ワンプシュのもので、好適には、ノズルヘッド部ロック機構の採用されているものである。ポンプ４１の本体部４４にはアキュミュレーターが配置せしめられている。典型的な例では、該ボトル中には、215mLの内容物たる殺菌・消毒剤が入れられ
て流通している。
【００１３】
本発明の衛生用剤用携帯型医療装具のポーチ本体の身体側には、該ポーチ本体の上方開口部の身体側の両側に設けられた二つのフック掛具の間のほぼ中間の位置に、カラビナ挿通口が設けられており、カラビナを使用して、身体に着けているズボン、スラックスなどのベルト通しと当該カラビナ挿通口との双方にカラビナを通し、カラビナによりズボンなどに吊り下げて身体に装備することが可能な構造を有している。さらに、本発明の衛生用剤用携帯型医療装具のポーチ本体の胴体部の身体側にはベルト挿通口部材が取り付けられており、該ベルト挿通口にズボンのベルトを通すことにより、密着した状態で当該ポーチ本体を身体に装着することができるようになっている。
【００１４】
カラビナは、アルミ製、鉄製、ステンレススチール製、さらにはプラスチック製のいずれであってもよい。カラビナの形状としては、特に限定されるものではないが、例えば、Ｏ型又はオーバル型、洋梨型又はナス型、Ｄ型などを挙げることができる。カラビナは、通常、開口部（ゲート）に安全環（ロック装置）を備えており、該安全環としては、例えば、スクリューロック式、ボールロック式、トライアウトロック式などのものが挙げられるが、それに限定されるものではない。
以下に実施例を掲げ、本発明を具体的に説明するが、この実施例は単に本発明の説明のため、その具体的な態様の参考のために提供されているものである。これらの例示は本発明の特定の具体的な態様を説明するためのものであるが、本願で開示する発明の範囲を限定したり、あるいは制限することを表すものではない。本発明では、本明細書の思想に基づく様々な実施形態が可能であることは理解されるべきである。
全ての実施例は、他に詳細に記載するもの以外は、標準的な技術を用いて実施したもの、又は実施することのできるものであり、これは当業者にとり周知で慣用的なものである。
【実施例】
【００１５】
以下、実施例について図面を参照して説明すると、図１は本発明の衛生用剤用携帯型医療装具の写真である。該衛生用剤用携帯型医療装具は、ポーチ本体１とストラップ具２とクリップ具３から構成されている。ポーチ本体の正面図を図２に、背面図を図３に、右側面図を図４に、左側面図を図５に、平面図を図６に、底面図を図７に示す。また、図８には、ポーチ本体の左前方やや上方よりの斜視図を示し、図９には、ポーチ本体の右後方や
や上方よりの斜視図を示す。
【００１６】
ポーチ本体１は、扁平な略直方形の有底箱状の袋となっており、変形自在な素材で作られている。ポーチ本体１は、合成繊維、例えば、ポリエステル系樹脂繊維、ナイロン系樹脂繊維、塩化ビニル系樹脂繊維などを素材としたものが挙げられ、通常は、当該素材を使用した織布で構成されている。ポーチ本体１の上方は、開口部となっており、殺菌・消毒剤容器を、例えば、消毒剤入りボトル容器を収納できる。
【００１７】
ポーチ本体１の上方の開口部の身体側の両端側部にフック掛具１１、１２が取り付けられている。さらに、該フック掛具１１、１２の中間部にカラビナ挿通口１３が付設されている。カラビナ挿通口１３は、ストラップ具２を使用して肩から掛けて装備することをしないで、着衣のベルト通しとそのカラビナ挿通口との両方にカラビナを通すことにより、ポーチ本体１を吊り下げ状態で身体に係止することを可能にする。カラビナは、例えば、図１６に示すようなものが例示できる。
【００１８】
ポーチ1の収納部は、例えば、215mLの内容物たる消毒剤を入れたワンプッシュポンプ付き容器（ポンプ式ディスペンサー）の肩部までがすっぽり収納できる大きさとされ、装備した作業者の作業に邪魔とならないようにして、十分に容器を保持できるようにしてある。一方、ポーチ1の収納部の最上部は、ディスペンサーポンプのヘッドを押してアキュミ
ュレーター及びノズルを介して吐出口より消毒剤（及び／又は殺菌剤）を手のひらにとる際に邪魔にならない程度となるようにその収納部の深さとなっている。ポーチ1の収納部
の開口部並びに胴体部の幅、すなわち、殺菌・消毒剤容器、例えば、消毒剤入りボトル容器の胴周りのサイズに対応する大きさは、ストラップ具を付けて肩よりタスキ掛けで本衛生用剤用携帯型医療装具、すなわち、肩掛け型ポーチを装着した場合に、略直立した状態で、あまり遊びなく当該容器がポーチの収納部に垂直に立った状態となるもので、且つ、容器の出し入れがスムーズに行い得るものとされる。
【００１９】
ポーチ本体１の背面外側の身体側には、ベルト通し１４が付設されている。このベルト通し１４は、身体に身につける衣服のベルトに本衛生用剤用携帯型医療装具を取り付けるために使用できるもので、ストラップ具２を使用して肩から掛けて装備することをしないで、着衣のベルトにそのベルト挿通口を通すことにより、ポーチ本体１を密着状態で身体に係止して、装備することを可能にするものである。
【００２０】
ストラップ具２は、吊り下げバンド、又は吊帯として機能するもので、その両端部には着脱可能とするフック状連結具がそれぞれ設けられている。当該両方のフック状連結具のうちの一方では、ストラップはループとなっており、該ストラップはループを通して自由に位置が変えられるようになっている。一方、当該フック状連結具の他方の部分では、ストラップはそのフック状連結具に固定されている。
ストラップ具２にはトリグライドバックル２３が配置され、該トリグライドバックル２３の位置を変えることによりストラップ具２の長さを調節できるようになっている。通常の肩掛けバッグや肩掛けポーチの吊帯に設けられたトリグライドバックルと同様、本トリグライドバックル２３の中央部にはストラップの端部が固定されている。
ストラップ本体は、合成繊維、例えば、ポリエステル系樹脂繊維、ナイロン系樹脂繊維、塩化ビニル系樹脂繊維などを素材としたものが挙げられ、通常は、当該素材を使用した織布で構成されている。カラビナ挿通口、ベルト通しは、いずれも、ストラップ本体の素材と同様なもので構成できる。
【００２１】
作業者が略直立して立っている状態で本衛生用剤用携帯型医療装具を装着して場合では、すなわち、ストラップ具２を介して作業者の肩に掛けて、身体に対してタスキ掛けにして本衛生用剤用携帯型医療装具のポーチ本体を、吊り下げた状態で略腰の位置に配置保持
し、該ポーチ本体に収納した消毒剤ボトル容器を略垂直状態に保持する。図１４のＡには、医療従事者の身体に本衛生用剤用携帯型医療装具を装着した時の様子を示してある。
ポーチ本体の吊り下げ位置を調節するには、トリグライドバックルのストラップ上の位置を動かしてストラップ具の長さを調節することにより行うことができる。
【００２２】
本衛生用剤用携帯型医療装具においては、ストラップ具２には、着脱可能なようにしてクリップ部材３がストラップ挿通口具２４を介して装着せしめられている。
図１４のＢに示すように、本衛生用剤用携帯型医療装具のストラップ具を肩に掛けて装着した場合に、該クリップ部材３でもって身体に固定して、本衛生用剤用携帯型医療装具の位置が動いたりするのを規制することが可能とされている。
【産業上の利用可能性】
【００２３】
本発明の衛生用剤用携帯型医療装具は、極めて簡単な構造であるが、機能的な動作を可能にしているので、医療関連感染の防止に、常時、医療施設内で従事者が衛生用剤を携行して、必要時に手などの消毒を行うに便利である。したがって、深刻な医療関連感染の防止のほか、衛生環境の保持改善に利用されて有用である。
本発明は、前述の説明及び実施例に特に記載した以外も、実行できることは明らかである。上述の教示に鑑みて、本発明の多くの改変及び変形が可能であり、従ってそれらも本件添付の請求の範囲の範囲内のものである。
【図面の簡単な説明】
【００２４】
【図１】本発明の衛生用剤用携帯型医療装具の外観（図面代用写真）を示す。
【図２】本発明の衛生用剤用携帯型医療装具のポーチ本体の正面図を示す。
【図３】本発明の衛生用剤用携帯型医療装具のポーチ本体の背面図を示す。
【図４】本発明の衛生用剤用携帯型医療装具のポーチ本体の右側面図を示す。
【図５】本発明の衛生用剤用携帯型医療装具のポーチ本体の左側面図を示す。
【図６】本発明の衛生用剤用携帯型医療装具のポーチ本体の平面図を示す。
【図７】本発明の衛生用剤用携帯型医療装具のポーチ本体の底面図を示す。
【図８】本発明の衛生用剤用携帯型医療装具のポーチ本体の左前方やや上方よりの斜視図を示す。
【図９】本発明の衛生用剤用携帯型医療装具のポーチ本体の右後方やや上方よりの斜視図を示す。
【図１０】本発明の衛生用剤用携帯型医療装具のストラップの正面図を示す。
【図１１】本発明の衛生用剤用携帯型医療装具のポーチ本体の背面側の外観（図面代用写真）を示す。該ポーチ本体に付設されている二つのフック掛具にストラップ（一部が示される）に付設されたフック具により掛止されている様子が見てとれる。
【図１２】本発明の衛生用剤用携帯型医療装具のポーチ本体に消毒剤ボトル容器を収容した状態のポーチ本体の正面側の外観（図面代用写真）を示す。図１１と同様、該ポーチ本体に付設されている二つのフック掛具にストラップ（一部が示される）に付設されたフック具により掛止されている様子が見てとれる。
【図１３】本発明の衛生用剤用携帯型医療装具のポーチ本体に消毒剤ボトル容器を収容した状態のポーチ本体の右側面側の外観（図面代用写真）を示す。図１１と同様、該ポーチ本体に付設されているフック掛具にストラップに付設されたフック具により掛止されている様子が見てとれる。
【図１４】Ａ：看護師などの医療従事者に本発明の衛生用剤用携帯型医療装具を装着した様子を示す。Ｂ：ストラップに緩く保持部を通して取り付けられているクリップ部を介して人体の着衣に固定されるという使用状況を示す。
【図１５】消毒剤を収容しているボトル容器の典型的な外観（図面代用写真）を示す。
【図１６】カラビナの外観（図面代用写真）を示す。Ｂ：Ａの裏面を示す。
【符号の説明】
【００２５】
１：ポーチ本体
２：ストラップ具
３：クリップ部材
【図２】
2010063811.tif 000003
【図３】
2010063811.tif 000004
【図４】
2010063811.tif 000005
【図５】
2010063811.tif 000006
【図６】
2010063811.tif 000007
【図７】
2010063811.tif 000008
【図８】
2010063811.tif 000009
【図９】
2010063811.tif 000010
【図１０】
2010063811.tif 000011
【図１４】
2010063811.tif 000012
【図１】
2010063811.tif 000013
【図１１】
2010063811.tif 000014
【図１２】
2010063811.tif 000015
【図１３】
2010063811.tif 000016
【図１５】
2010063811.tif 000017
【図１６】
2010063811.tif 000018